【手続補正書】
【提出日】平成18年10月27日(2006.10.27)
【手続補正１】
【補正対象書類名】明細書
【補正対象項目名】特許請求の範囲
【補正方法】変更
【補正の内容】
【特許請求の範囲】
【請求項１】
分散型システムであって、
通信リンクに接続された一組のノードであって、該各ノードが、対応するノードにおける１つ又は２つ以上の制御機能を同期させるための対応する時間値を生成するクロックを有しており、該各ノードが、前記通信リンクを介して一組のタイミングメッセージを交換することにより前記クロックにおける前記時間値を同期させるための同期プロトコルに関与する、通信リンクに接続された一組のノードと、
該分散型システムに追跡可能な時間値を提供するための手段であって、前記クロックが、前記同期プロトコルを用いて前記時間値を前記追跡可能な時間値に同期させ、及び前記ノード間で前記制御機能を同期させるための実世界時間ベースを提供するようになっており、該ノードのうちの１つが、該分散型システムで実行されたイベントの識別を含むメッセージを前記通信リンクを介して伝送し、前記ノードのうちの別のノードが、前記メッセージを受信し、該メッセージを対応するクロックにおける時間値に基づいて解釈する、該分散型システムに追跡可能な時間値を提供するための手段と
を含む、分散型システム。
【請求項２】
分散型システムであって、
通信リンクに接続された一組のノードであって、該各ノードが、対応するノードにおける１つ又は２つ以上の制御機能を同期させるための対応する時間値を生成するクロックを有しており、該各ノードが、前記通信リンクを介して一組のタイミングメッセージを交換することにより前記クロックにおける前記時間値を同期させるための同期プロトコルに関与する、通信リンクに接続された一組のノードと、
該分散型システムに追跡可能な時間値を提供するための手段であって、前記クロックが、前記同期プロトコルを用いて前記時間値を前記追跡可能な時間値に同期させ、及び前記ノード間で前記制御機能を同期させるための実世界時間ベースを提供するようになっており、該ノードのうちの第１のノードが、１つの値及び１つの時間を１つのデータ対として含むメッセージを前記通信リンクを介して伝送し、前記ノードのうちの第２のノードが、前記メッセージを受信し、前記１つのデータ対に応じて、及び前記ノードのうちの前記第２のノードにおける前記クロックにおける前記時間値に応じて、１つの動作を実行し、前記１つの値がセンサデータサンプルであり、前記１つの時間が、前記ノードのうちの前記第１のノードにおける前記クロックから取得された前記センサデータサンプルに関連する実世界時間である、該分散型システムに追跡可能な時間値を提供するための手段と
を含む、分散型システム。
【請求項３】
分散型システムであって、
通信リンクに接続された一組のノードであって、該各ノードが、対応するノードにおける１つ又は２つ以上の制御機能を同期させるための対応する時間値を生成するクロックを有しており、該各ノードが、前記通信リンクを介して一組のタイミングメッセージを交換することにより前記クロックにおける前記時間値を同期させるための同期プロトコルに関与する、通信リンクに接続された一組のノードと、
該分散型システムに追跡可能な時間値を提供するための手段であって、前記クロックが、前記同期プロトコルを用いて前記時間値を前記追跡可能な時間値に同期させ、及び前記ノード間で前記制御機能を同期させるための実世界時間ベースを提供するようになっており、該ノードのうちの第１のノードが、１つの値及び１つの時間を１つのデータ対として含むメッセージを前記通信リンクを介して伝送し、前記ノードのうちの第２のノードが、前記メッセージを受信し、前記１つのデータ対に応じて、及び前記ノードのうちの前記第２のノードにおける前記クロックにおける前記時間値に応じて、１つの動作を実行し、前記１つの値がアクチュエータ制御値であり、前記１つの時間が、該アクチュエータ制御値に関連する実世界時間であり、前記時間が、前記ノードのうちの前記第２のノードのクロックにおける時間値と一致した際に、前記ノードのうちの前記第２のノードが前記アクチュエータ制御値をアクチュエータに適用することにより前記動作を実行する、該分散型システムに追跡可能な時間値を提供するための手段と
を含む、分散型システム。
【請求項４】
分散型システムであって、
通信リンクに接続された一組のノードであって、該各ノードが、対応するノードにおける１つ又は２つ以上の制御機能を同期させるための対応する時間値を生成するクロックを有しており、該各ノードが、前記通信リンクを介して一組のタイミングメッセージを交換することにより前記クロックにおける前記時間値を同期させるための同期プロトコルに関与する、通信リンクに接続された一組のノードと、
該分散型システムに追跡可能な時間値を提供するための手段であって、前記クロックが、前記同期プロトコルを用いて前記時間値を前記追跡可能な時間値に同期させ、及び前記ノード間で前記制御機能を同期させるための実世界時間ベースを提供するようになっており、該ノードのうちの第１のノードが、１つの値及び１つの時間を１つのデータ対として含むメッセージを前記通信リンクを介して伝送し、前記ノードのうちの第２のノードが、前記メッセージを受信し、前記１つのデータ対に応じて、及び前記ノードのうちの前記第２のノードにおける前記クロックにおける前記時間値に応じて、１つの動作を実行し、前記１つの値がイベント識別子であり、前記１つの時間が、前記ノードのうちの前記第１のノードにおける前記クロックから取得された前記イベント識別子に関連する実世界時間である、該分散型システムに追跡可能な時間値を提供するための手段と
を含む、分散型システム。
【請求項５】
分散型システムであって、
通信リンクに接続された一組のノードであって、該各ノードが、対応するノードにおける１つ又は２つ以上の制御機能を同期させるための対応する時間値を生成するクロックを有しており、該各ノードが、前記通信リンクを介して一組のタイミングメッセージを交換することにより前記クロックにおける前記時間値を同期させるための同期プロトコルに関与する、通信リンクに接続された一組のノードと、
該分散型システムに追跡可能な時間値を提供するための手段であって、前記クロックが、前記同期プロトコルを用いて前記時間値を前記追跡可能な時間値に同期させ、及び前記ノード間で前記制御機能を同期させるための実世界時間ベースを提供するようになっており、該ノードのうちの第１のノードが、１つの値及び１つの時間を１つのデータ対として含むメッセージを前記通信リンクを介して伝送し、前記ノードのうちの第２のノードが、前記メッセージを受信し、前記１つのデータ対に応じて、及び前記ノードのうちの前記第２のノードにおける前記クロックにおける前記時間値に応じて、１つの動作を実行し、該動作がデータサンプルを取得することである、該分散型システムに追跡可能な時間値を提供するための手段と
を含む、分散型システム。
【請求項６】
分散型システムであって、
通信リンクに接続された一組のノードであって、該各ノードが、対応するノードにおける１つ又は２つ以上の制御機能を同期させるための対応する時間値を生成するクロックを有しており、該各ノードが、前記通信リンクを介して一組のタイミングメッセージを交換することにより前記クロックにおける前記時間値を同期させるための同期プロトコルに関与する、通信リンクに接続された一組のノードと、
該分散型システムに追跡可能な時間値を提供するための手段であって、前記クロックが、前記同期プロトコルを用いて前記時間値を前記追跡可能な時間値に同期させ、及び前記ノード間で前記制御機能を同期させるための実世界時間ベースを提供するようになっており、該ノードのうちの第１のノードが、１つの値及び１つの時間を１つのデータ対として含むメッセージを前記通信リンクを介して伝送し、前記ノードのうちの第２のノードが、前記メッセージを受信し、前記１つのデータ対に応じて、及び前記ノードのうちの前記第２のノードにおける前記クロックにおける前記時間値に応じて、１つの動作を実行し、該動作が制御プロセスの状態を変化させることである、該分散型システムに追跡可能な時間値を提供するための手段と
を含む、分散型システム。
【請求項７】
分散型システムであって、
通信リンクに接続された一組のノードであって、該各ノードが、対応するノードにおける１つ又は２つ以上の制御機能を同期させるための対応する時間値を生成するクロックを有しており、該各ノードが、前記通信リンクを介して一組のタイミングメッセージを交換することにより前記クロックにおける前記時間値を同期させるための同期プロトコルに関与する、通信リンクに接続された一組のノードと、
該分散型システムに追跡可能な時間値を提供するための手段であって、前記クロックが、前記同期プロトコルを用いて前記時間値を前記追跡可能な時間値に同期させ、及び前記ノード間で前記制御機能を同期させるための実世界時間ベースを提供するようになっており、前記クロックにおける前記実世界時間ベースが使用されて、該分散型システムにおける異常挙動が検出され、該異常挙動について訂正動作が実行される際に前記クロックにおける前記実世界時間ベースが使用される、該分散型システムに追跡可能な時間値を提供するための手段と
を含む、分散型システム。
【請求項８】
分散型システムであって、
通信リンクに接続された一組のノードであって、該各ノードが、対応するノードにおける１つ又は２つ以上の制御機能を同期させるための対応する時間値を生成するクロックを有しており、該各ノードが、前記通信リンクを介して一組のタイミングメッセージを交換することにより前記クロックにおける前記時間値を同期させるための同期プロトコルに関与する、通信リンクに接続された一組のノードと、
該分散型システムに追跡可能な時間値を提供するための手段であって、前記クロックが、前記同期プロトコルを用いて前記時間値を前記追跡可能な時間値に同期させ、及び前記ノード間で前記制御機能を同期させるための実世界時間ベースを提供するようになっており、前記ノードが、センサを有する第１のノードとアクチュエータを有する第２のノードとを有しており、前記第１のノードが前記センサを使用して観察を行い、及び前記第２のノードが、前記第１のノードにより行われた観察に応じて前記アクチュエータを使用した動作を実行して、前記第１のノードが前記通信リンクを介して伝送されるメッセージを使用して前記観察を前記第２のノードへ通信するようになっており、前記メッセージが、前記観察が行われた際に取得された前記第１のノードにおける前記クロックからの実世界時間を含み、前記第２のノードが、該第２のノードにおける前記クロックからの前記時間値を使用して前記メッセージを解釈する、該分散型システムに追跡可能な時間値を提供するための手段と
を含む、分散型システム。
【請求項９】
分散型システムであって、
通信リンクに接続された一組のノードであって、該各ノードが、対応するノードにおける１つ又は２つ以上の制御機能を同期させるための対応する時間値を生成するクロックを有しており、該各ノードが、前記通信リンクを介して一組のタイミングメッセージを交換することにより前記クロックにおける前記時間値を同期させるための同期プロトコルに関与する、通信リンクに接続された一組のノードと、
該分散型システムに追跡可能な時間値を提供するための手段であって、前記クロックが、前記同期プロトコルを用いて前記時間値を前記追跡可能な時間値に同期させ、及び前記ノード間で前記制御機能を同期させるための実世界時間ベースを提供するようになっており、前記ノードが、変換器を有する第１のノードと、該変換器に関連する第１の用途を実行する第２のノードと、前記変換器に関連する第２の用途を実行する第３のノードとを含み、前記第２及び第３のノードが、前記クロックにおける実世界時間ベースに基づいて前記変換器を共有するようになっている、該分散型システムに追跡可能な時間値を提供するための手段と
を含む、分散型システム。
【請求項１０】
分散型システムにおける一組の制御機能を同期させるための方法であって、
該分散型システムにおける一組のノードの各々におけるクロックにおける時間値を、該ノード間で一組のタイミングメッセージを交換することにより同期させ、
各ノードにおける制御機能のうちの１つ又は２つ以上を、対応するクロックにおける時間値に応じて同期させ、
該分散型システムに追跡可能な時間値を提供して、前記クロックが、同期を行う際に前記時間値を前記追跡可能な時間値に同期させ、及び前記ノード間で前記制御機能を同期させる際に実世界時間ベースを提供するようになっており、
該分散型システムで実行されたイベントの識別を含むメッセージを前記ノードのうちの１つ又は２つ以上に伝送し、
前記実世界時間ベースに基づいて前記メッセージを解釈する、
という各ステップを含む、分散型システムにおける一組の制御機能を同期させるための方法。
【請求項１１】
分散型システムにおける一組の制御機能を同期させるための方法であって、
該分散型システムにおける一組のノードの各々におけるクロックにおける時間値を、該ノード間で一組のタイミングメッセージを交換することにより同期させ、
各ノードにおける制御機能のうちの１つ又は２つ以上を、対応するクロックにおける時間値に応じて同期させ、
該分散型システムに追跡可能な時間値を提供して、前記クロックが、同期を行う際に前記時間値を前記追跡可能な時間値に同期させ、及び前記ノード間で前記制御機能を同期させる際に実世界時間ベースを提供するようになっており、
前記クロックにおける前記実世界時間ベースを使用して、該分散型システムにおける異常挙動を検出し、
前記クロックにおける前記実世界時間ベースを使用して、前記異常挙動について訂正動作を実行する、
という各ステップを含む、分散型システムにおける一組の制御機能を同期させるための方法。
【請求項１２】
分散型システムにおける一組の制御機能を同期させるための方法であって、
該分散型システムにおける一組のノードの各々におけるクロックにおける時間値を、該ノード間で一組のタイミングメッセージを交換することにより同期させ、
各ノードにおける制御機能のうちの１つ又は２つ以上を、対応するクロックにおける時間値に応じて同期させ、
該分散型システムに追跡可能な時間値を提供して、前記クロックが、同期を行う際に前記時間値を前記追跡可能な時間値に同期させ、及び前記ノード間で前記制御機能を同期させる際に実世界時間ベースを提供するようになっている、
という各ステップを含み、
前記制御機能のうちの１つ又は２つ以上を同期させる前記ステップが、
前記ノードのうちの第１のノードにおいて観察を行い、該観察が行われる際に該第１のノードにおけるクロックから時間を取得し、
該観察及び該時間を前記ノードのうちの第２のノードへ通信し、
該第２のノードにおけるクロックからの時間値を使用して前記観察を解釈する、
という各ステップを含む、分散型システムにおける一組の制御機能を同期させるための方法。
【請求項１３】
分散型システムにおける一組の制御機能を同期させるための方法であって、
該分散型システムにおける一組のノードの各々におけるクロックにおける時間値を、該ノード間で一組のタイミングメッセージを交換することにより同期させ、
各ノードにおける制御機能のうちの１つ又は２つ以上を、対応するクロックにおける時間値に応じて同期させ、
該分散型システムに追跡可能な時間値を提供して、前記クロックが、同期を行う際に前記時間値を前記追跡可能な時間値に同期させ、及び前記ノード間で前記制御機能を同期させる際に実世界時間ベースを提供するようになっている、
という各ステップを含み、
前記制御機能のうちの１つ又は２つ以上を同期させる前記ステップが、
前記クロックにおける前記実世界時間ベースに基づき該分散型システムにおいて変換器を共有するステップを含む、分散型システムにおける一組の制御機能を同期させるための方法。